(57)【特許請求の範囲】
【請求項１】
矩形状の本体の両端部に相対向する一対の第一端子部及び第二端子部を設けて成るヒューズ素子と、該ヒューズ素子を収容するケース本体とを有すると共に、ヒューズボックスに装着されてヒューズ回路を形成するヒュージブルリンクにおいて、
前記第一端子部が、前記本体の一端に設けられ、かつ前記ヒューズボックスへの挿入方向と直交する方向に長手方向を有する連結板と、該連結板の該長手方向の一側縁に所望の間隔毎に連成された複数の可溶体及びサブ挿入接続板と、該サブ挿入接続板にそれぞれ組付けられるサブ端子とから成り、
前記連結板に前記可溶体が連なり、かつ前記可溶体に前記サブ挿入接続板が連なっているとともに、
前記可溶体の前記連結板寄りの端部で折り曲げられ、かつ前記可溶体の前記サブ挿入接続板寄りの端部で折り曲げられており、
前記ケース本体には、互いに区画された板収容室と、第一端子収容室と、第二端子収容室が形成されており、
前記連結板、第一端子部及び第二端子部が、前記板収容室、第一端子収容室及び第二端子収容室にそれぞれ収容されたことを特徴とする連鎖型大電流ヒュージブルリンク。
【請求項２】
前記可溶体には低融点金属取付部及び溶断部が各々設けられていることを特徴とする請求項１記載の連鎖型大電流ヒュージブルリンク。
【請求項３】
前記第二端子部が、前記連結板の長手方向に沿って、前記複数のサブ端子と並設されていることを特徴とする請求項１又は２記載の連鎖型大電流ヒュージブルリンク。
【発明の詳細な説明】
【０００１】
【発明の属する技術分野】
本発明は、ヒュージブルリンクの一対の端子部のうち一方を連鎖状に形成した連鎖型大電流ヒュージブルリンクに関するものである。
【０００２】
【従来の技術】
従来、図１８及び図１９のようなヒュージブルリンクが提案されている。
このヒュージブルリンク８０は、金属板材をプレス加工することによってコ字状のヒューズ素子８１を設け、ヒューズ素子８１を箱形のケース本体８２に収容すると共に、ケース本体８２に透明カバー８３を覆設したものである。ヒューズ素子８１は矩形状の本体８４に溶断部８５を設け、本体８４の両端部に一対の端子部８６ａ，８６ｂをそれぞれ連成したものである。ヒュージブルリンク８０を不図示のヒューズボックスに装着することにより、ヒューズボックス内でヒューズ回路（図示せず）を形成する。
【０００３】
しかしながら、電子部品（図示せず）の増加によりヒューズ回路の回路数が増加し、それに伴ってヒュージブルリンク８０の個数が増加する（図２０参照）。そのため、ヒューズボックスのサイズ（形状）が大型化して重量（質量）が増えたり、又はヒューズ回路が複雑化したりする恐れがあった。
【０００４】
【発明が解決しようとする課題】
本発明は上記した点に鑑み、電子部品の増加に伴うヒューズ回路の複雑化に対して簡単に対応できる連鎖型大電流ヒュージブルリンクを提供することを目的とする。
【０００５】
【課題を解決するための手段】
上記目的を達成するために、本発明は、矩形状の本体の両端部に相対向する一対の第一端子部及び第二端子部を設けて成るヒューズ素子と、該ヒューズ素子を収容するケース本体とを有すると共に、ヒューズボックスに装着されてヒューズ回路を形成するヒュージブルリンクにおいて、前記第一端子部が、前記本体の一端に設けられ、かつ前記ヒューズボックスへの挿入方向と直交する方向に長手方向を有する連結板と、該連結板の該長手方向の一側縁に所望の間隔毎に連成された複数の可溶体及びサブ挿入接続板と、該サブ挿入接続板にそれぞれ組付けられるサブ端子とから成り、前記連結板に前記可溶体が連なり、かつ前記可溶体に前記サブ挿入接続板が連なっているとともに、前記可溶体の前記連結板寄りの端部で折り曲げられ、かつ前記可溶体の前記サブ挿入接続板寄りの端部で折り曲げられており、前記ケース本体には、互いに区画された板収容室と、第一端子収容室と、第二端子収容室が形成されており、前記連結板、第一端子部及び第二端子部が、前記板収容室、第一端子収容室及び第二端子収容室にそれぞれ収容された連鎖型大電流ヒュージブルリンクを特徴とする（請求項１）。
前記可溶体には低融点金属取付部及び溶断部が各々設けられている連鎖型大電流ヒュージブルリンクを特徴とする（請求項２）。
前記第二端子部が、前記連結板の長手方向に沿って、前記複数のサブ端子と並設されている連鎖型大電流ヒュージブルリンクを特徴とする（請求項３）。
【０００６】
【発明の実施の形態】
以下、本発明の実施の形態の具体例を、図面を参照して説明する。
図１〜図１７は本発明に係る連鎖型大電流ヒュージブルリンクの一実施例を示すものである。
【０００７】
図１に示すように、この連鎖型大電流ヒュージブルリンク（以下、連鎖型ヒュージブルリンクという）１は、矩形状の本体１０の一端１０ａに連結板１１を介して設けられた第一端子部１２と、本体１０の他端１０ｂに一体的に形成された第二端子部１３とから成るヒューズ素子２を、ケース部材（ケース本体３と透明カバー４とから成る）に収容した構造である。そして、連鎖型ヒュージブルリンク１を不図示のヒューズボックスに装着してヒューズ回路（例えば図１７参照）を形成する。
【０００８】
ヒューズ素子２は、図２の金属板材４５からヒューズ体２′を打ち抜いて加工し、必要な箇所に、図３のサブ端子１５と端子３３とをそれぞれ組付けたものである。
連結板の長手方向（Ｔ方向）は、ヒューズボックスへの連鎖型ヒュージブルリンク１の挿入方向（Ｓ方向）と直交する。
図２に示すように、本体１０の一端１０ａと、連結板１１の一端部１１ｂの側縁とが連成されている。連結板１１の一側縁１１ａには第一端子部１２が設けられている。連結板１１はブスバーのように電気を通電する働き（作用）を有する。
【０００９】
図４の第一端子部１２は、本体１０に屈曲された連結板１１の一側縁１１ａに他端部１１ｃの側から所望の間隔毎に（例えば間隔ｄ毎に）配列された四つ（四個）の可溶体１４と、可溶体１４に一体形成された四つのサブ挿入接続板１４′と、サブ挿入接続板１４′に組付けられる四つのサブ端子１５とから成る。四つの可溶体１４及びサブ挿入接続板１４は全て同一構成であり、また四つのサブ端子１５も全て同一構成であるので、一つのサブ挿入接続板１４′及びサブ端子１５について説明する。
【００１０】
図２及び図３に示すように、可溶体１４は、連結板１１の一側縁１１ａから延設された細長い腕板部１６を有し、腕板部１６の自由端に配置された矩形状（平板状）の接続部１７に連なっている。腕板部１６には長手方向の両側縁１６ａ，１６ａに相反する方向へ一対の加締片１８，１８が延設されている。一対の加締片１８，１８には低融点金属取付部２０が設けられている。低融点金属取付部２０は、例えばスズチップ（図示せず）を一対の加締片１８，１８に加締め、それから腕部１６にスズチップを溶着して成る。なお、２０′は溶断部である。
このように、四つの可溶体１４の腕板部１６に全て低融点金属取付部２０を設けるので、可溶体１４ごとに通電された電流をチェック（検査）できる。
【００１１】
サブ挿入接続板１４′は、接続部１７の長手方向の両側縁２１ａ，２１ａから立設された一対のリブ２２，２２と、後端部２１ｂの側の下面（図面の裏面側）に設けられた第一係合突起２３と、先端部２１ｃの側の下面（図面の裏面側）に形成された第二係合突起２４とを有する。
【００１２】
図３、図５乃至図７の如くに、サブ端子１５は、断面凸型の基板２５と、基板２５の両側縁の中間部から立ち上げられた一対の起立壁２６，２６と、一対の起立壁２６，２６から基板２５の後端部２５ａへ延びる一対の弾性挟持壁２７，２７と、基板２５の先端部２５ｂの両側縁に設けられた一対の湾曲壁２８，２８とから成る。
【００１３】
基板２５の後端部２５ａの側の底部には第一係合孔２９が、及び先端部２５ｂの側の底部には第二係合孔３０がそれぞれ形成されている。第一係合孔２９及び第二係合孔３０にはそれぞれ第一係合突起２３及び第二係合突起２４が係合される。弾性挟持壁２７と基板２５の側縁とがリブ２２を挟持する。起立壁２６の後端側はリブ２２に対するストッパの役目を果たす。一対の湾曲壁２８，２８は眼鏡状に形成され、サブ挿入接続板１４′（の接続部１７の）の先端部２１ｃを収容する。相手方端子（図示せず）は一対の湾曲壁２８，２８に案内され、サブ挿入接続板１４′の接続部１７に電気的に接続される。
【００１４】
図１の本体１０の他端１０ｂには第二端子部１３が設けられている。
図４及び図５に示すように、第二端子部１３は本体１０の他端１０ｂに一体形成された挿入接続板３２と、挿入接続板３２に組付けられる端子３３とから成る。
挿入接続板３２の構成は、略中央に係止片３４（図８参照）を切り起こした点を除いてサブ挿入接続板１４′と殆ど同一であるので説明を省略する。また、端子３３の構成もサブ端子１５と殆ど同じであるから説明を省略する。
【００１５】
本実施例では、図４のヒューズ素子２の一番左側に端子３３を配置し、且つ端子３３の右側に四つ（四個）のサブ端子１５の群を配列しているが、図９の如くに、変形例としてサブ端子１５の群の中間に端子３３を配置することも可能である。また、第一端子部１２と同様に第二端子部１３を複数のサブ端子１５で構成することも可能である。その際には、第一及び第二端子部１２，１３を構成する各サブ端子１５の個数を同数にすることも、或いは異数にすることもできる。
【００１６】
図１のように、ヒューズ素子２を収容するケース部材は、箱形のケース本体３と、ケース本体３に覆設される透明カバー４とから成る。
図１４及び図１６の如くに、ケース本体３の内部にはヒューズ素子２の連結板１１、第一端子部１２及び第二端子部１３を収容するための板収容室３５、第一端子収容室３６及び第二端子収容室３７が区画形成されている。
【００１７】
図１０、図１４及び図１５のように、ケース本体３の外壁面には断面凸状の段部３９が周設され、段部３９には透明カバー４を取付けるための係合部４０が四箇所設けられている。第一端子収容室３６の内部にはサブ端子１５の一対の湾曲壁２８，２８を後方から前方へ付勢する第一係止ランス４１が形成されている。第二端子収容室３７にも第一係止ランス４１と殆ど同様な第二係止ランス（図示せず）が配置されている。また、図１３に示すように、ケース本体３の底壁３ａには第一端子部１２及び第二端子部１３に対応させて開口４３，４４が形成されている。
【００１８】
図１０乃至図１２のように、透明カバー４はヒューズ素子２の低融点金属取付部２０を外部から観察できるように透明の材質で形成されている。透明カバー４にはケース本体３の係合部４０に対する被係合部４２が設けられている。透明カバー４の周縁４ａが段部３９の上に配置される。
【００１９】
次に、連鎖型ヒュージブルリンク１の製造方法について説明する。
図２に示すように、金属板材４５をプレス加工してヒューズ体２′を設ける。ヒューズ体２′には、縦方向（図２の上下方向）に位置する矩形状の本体１０と、本体１０の一端１０ａに連結されて横方向（図２の左右方向）へ延びる連結板１１と、連結板１１の長手方向の一側縁１１ａから縦方向に四つ配列された可溶体１４と、可溶体１４に連成されたサブ挿入接続板１４′と、本体１０の他端１０ｂに配置された挿入接続板３２とがそれぞれ一体的に成形されている。四つの可溶体１４とサブ挿入接続板１４′とは所望の間隔毎に（例えば間隔ｄ毎に）連鎖状に配置されている。
【００２０】
本体１０の一端１０ａ側と腕板部１６の一端部１６ｂ側とを通過する第一屈曲線Ｐ、及び本体１０の他端１０ｂ側と腕板部１６の中央部１６ｃ側とを通る第二屈曲線Ｑをそれぞれ折れ目とする。四つのサブ挿入接続板１４′と挿入接続板３２とを第一屈曲線Ｐに沿って本体１０（又は図２の紙面）に対して略直角に立ち上げる（起立させる、又は屈曲させる）と共に、連結板１１を第二屈曲線Ｑに沿って本体１０（又は紙面）に対して略直角に立ち上げる。屈曲後に、図１及び図３に示すように、サブ挿入接続板１４′及び挿入接続板３２とが連結板１１と相対向する。
【００２１】
図３のように、腕板部１６の一対の加締片１８，１８でスズチップを加締めた後に、スズチップを腕板部１６に溶着することにより、全ての可溶体１４の腕板部１６に低融点金属取付部２０を設ける。
サブ挿入接続板１４の先端部２１ｃにサブ端子１５を、及び挿入接続板３２に端子３３をそれぞれ組付けることにより、第一端子部１２と第二端子部１３とを有するヒューズ素子２（図４参照）を形成する。なお、ヒューズ体２′からヒューズ素子２を形成する過程の順序を変更するも可能である。
【００２２】
ヒューズ素子２をケース本体３（図１参照）に収容する。その際に、図１４に示すように、第一端子部１２を第一端子収容室３６に、第二端子部１３を第二端子収容室３７に、及び連結板１１を板収容室３５にそれぞれ収容する。図１５の如くに、第一係止ランス４１と第二係止ランスとでサブ端子１５と端子３３とを前方（サブ挿入接続板１４及び挿入接続板３２の各先端部側）へ付勢する。これにより、ケース本体３からのサブ端子１５及び端子３３の後抜けが防止される。
【００２３】
図１４の如くに、ヒューズ素子２の挿入（配置）後、ケース本体３の導入口３ｂに、図１０乃至図１２に示すように、透明カバー４を被せ、ケース本体３の係合部４０と透明カバー４の被係合部４２とをそれぞれ係合し、ケース本体３に透明カバー４を着脱自在に冠着（覆設）する。
このようにして、連鎖型ヒュージブルリンク１が製造される。
【００２４】
不図示のヒューズ回路に電子部品（図示せず）を増設（追加又は増加）に伴ってヒューズ回路の回路数が増加する。これに対処するため、従来のヒュージブルリンク８０（以下、番号８０を記載した場合には図１８を参照）を使用する場合には複数要した（図２０参照）が、本発明の連鎖型ヒュージブルリンク１（以下、番号１を記載した場合には図１を参照）を使用する場合には一つで済ますことができる（図１７参照）。
【００２５】
即ち、複数のヒュージブルリンク８０の役目を一つの連鎖型ヒュージブルリンク１で果たすことができるので、従来と比較して製造コストの低減（減少）を図ることができる。なお、図１７の１２ａ，１２ｂ，１２ｃ及び１２ｄは図１６の第一端子部１２の四つの各部分を示す。
【００２６】
それと共に、使用すべき複数のヒュージブルリンク８０の重量（質量）と、複数のヒュージブルリンク８０に対応する一つの連鎖型ヒュージブルリンク１の重量とを比較した場合には、後者の方が前者よりも軽く（軽量化）できる。
【００２７】
そして、複数のヒュージブルリンク８０を一つの連鎖型ヒュージブルリンク１で対応するから、連鎖型ヒュージブルリンク１を装着する（取付ける、組付ける）ヒューズボックス（図示せず）の形状をコンパクト化できると共に、その構造を簡素化できる。
【００２８】
なお、本実施例では、複数のヒュージブルリンク８０を使用することなく一つの連鎖型ヒュージブルリンク１で同じ働きをさせるための発明であるから、本実施例に限定されるものではない。
【００２９】
【発明の効果】
以上の如くに、請求項１の発明によれば、矩形状の本体に設けられた第一端子部が、本体の一端に連結板を設け、連結板に所望の間隔毎に複数の可溶体及びサブ挿入接続板を連成し、サブ挿入接続板にサブ端子を組付けたものである。これにより、ヒューズ回路に電気接続すべき箇所が複数ある場合でも、本発明の連鎖型ヒュージブルリンクのサブ端子を該箇所に電気接続することで一つの連鎖型ヒュージブルリンクで済ますことができる。
【００３０】
また、連鎖型ヒュージブルリンクを一つだけ使用すれば複数の該箇所に対応できるから、連鎖型ヒュージブルリンクを電気接続するヒューズボックスの形状をコンパクト化（小型化）できると共に、その構造を簡素化（単純化）できる。
【００３１】
更に、従来の複数のヒュージブルリンクの作用（働き）を一つの連鎖型ヒュージブルリンクで果たすことができる。そのため、複数のヒュージブルリンクを単に組み合わせた（束ねた）場合と比較し、連鎖型ヒュージブルリンクの方が製造コストの低減と、重量（質量）の軽量化とを行うことができる。
【００３２】
その上、連結板の長手方向がヒューズボックスへの連鎖型ヒュージブルリンクの挿入方向と直交するように、連結板が本体の一端に設けられる。そのため、連結板に複数のサブ挿入接続板を連成でき、複数のサブ端子をサブ挿入接続板に組付けることができる。これにより、連結板を単に設けるだけで、第一端子部を構成する複数のサブ端子を配置できる。
【００３３】
請求項２の発明によれば、可溶体には低融点金属取付部及び溶断部がそれぞれ設けられているので、可溶体ごとに連鎖型ヒュージブルリンクを流れる電流がチェック（検査）される。これにより、溶断部を一つだけ有する従来例と比べ、連鎖型ヒュージブルリンクを流れる電流のチェック（検査）回数が増す。そのため、従来よりも安定した電流を連鎖型ヒュージブルリンクに通電することができる。
【００３４】
請求項３の発明によれば、複数のサブ挿入接続板に組付けられるサブ端子を第二端子部と連鎖状に配列するので、サブ端子と第二端子部とが一列（直線状）に並ぶ。これにより、第一端子部を最もコンパクト化（小型化）できる。それに伴って、連鎖型ヒュージブルリンクを電気接続する相手方部材もコンパクト化できる。
【図面の簡単な説明】
【図１】本発明に係る連鎖型大電流ヒュージブルリンクの一実施例を示す分解斜視図である。
【図２】図１に使用するヒューズ体を示す図である。
【図３】図１のヒューズ素子を分解した図である。
【図４】図１のヒューズ素子の平面図である。
【図５】図４の正面図である。
【図６】図４の背面図である。
【図７】図４の右側面図である。
【図８】図４の左側面図である。
【図９】ヒューズ素子の変形例を示す斜視図である。
【図１０】図１の連鎖型大電流ヒュージブルリンクを完成した状態の平面図である。
【図１１】図１０の正面図である。
【図１２】図１０の側面図である。
【図１３】図１０の背面図である。
【図１４】図１１の透明カバーを取り外した状態を示す図である。
【図１５】図１０におけるＡ−Ａ線の断面図である。
【図１６】図１１におけるＢ−Ｂ線の断面図である。
【図１７】図１の回路図である。
【図１８】従来のヒュージブルリンクを示す分解斜視図である。
【図１９】図１８の断面図である。
【図２０】図１８のヒュージブルリンクを複数した状態を示す図である。
【符号の説明】
１                連鎖型大電流ヒュージブルリンク
２                ヒューズ素子
１０              本体
１１              連結板
１１ａ            一側縁
１２              第一端子部
１３              第二端子部
１４              可溶体
１４′            サブ挿入接続板
１５              サブ端子
２０              低融点金属取付部
２０′            溶断部
【図１】
0004091181.tif 000002
【図２】
0004091181.tif 000003
【図３】
0004091181.tif 000004
【図４】
0004091181.tif 000005
【図５】
0004091181.tif 000006
【図６】
0004091181.tif 000007
【図７】
0004091181.tif 000008
【図８】
0004091181.tif 000009
【図９】
0004091181.tif 000010
【図１０】
0004091181.tif 000011
【図１１】
0004091181.tif 000012
【図１２】
0004091181.tif 000013
【図１３】
0004091181.tif 000014
【図１４】
0004091181.tif 000015
【図１５】
0004091181.tif 000016
【図１６】
0004091181.tif 000017
【図１７】
0004091181.tif 000018
【図１８】
0004091181.tif 000019
【図１９】
0004091181.tif 000020
【図２０】
0004091181.tif 000021